(57)【要約】【課題】  遠隔操作手段による遠隔操作を各映像に対応させるための選択操作を自動的に行わせるようにする。【解決手段】  制御ＣＰＵ１０により、リモコン位置検出センサ１７によって検出されたリモコン３０の位置に応じて対応する映像を認識し、リモコン３０からの対応する映像の遠隔操作に従い、液晶コントローラ１１による表示動作を制御するようにすることで、リモコン３０による遠隔操作を各映像に対応させるための選択操作を不要とする。【選択図】  図２
2005073076.tif 000002
【特許請求の範囲】
【請求項１】
複数の画像データに基づいた映像のシングルビュー表示又はデュアルビュー表示が可能な表示手段と、
前記表示手段に対し、前記シングルビュー表示又はデュアルビュー表示を行わせる表示制御手段と、
前記表示手段によって表示される映像を遠隔操作する遠隔操作手段の位置を検出する検出手段と、
前記表示手段によってデュアルビュー表示が行われているとき、前記検出手段によって検出された前記遠隔操作手段の位置に応じて対応する前記映像を認識し、その映像の遠隔操作に従い、前記表示制御手段による表示動作を制御する制御手段とを備える
ことを特徴とする表示装置。
【請求項２】
前記制御手段は、人物検出手段からの検出結果に応じて、前記シングルビュー表示又はデュアルビュー表示を行わせるように、前記表示制御手段による表示動作を制御することを特徴とする請求項１に記載の表示装置。
【請求項３】
前記制御手段は、前記検出手段による検出結果から、前記遠隔操作手段との距離を判別し、その距離に応じて対応する前記映像のサイズを変更させるように、前記表示制御手段による表示動作を制御することを特徴とする請求項１又は２に記載の表示装置。
【請求項４】
前記制御手段は、ビュー切替え手段の操作に応じて、前記シングルビュー表示又はデュアルビュー表示を行わせるように、前記表示制御手段による表示動作を制御することを特徴とする請求項１又は３に記載の表示装置。
【請求項５】
前記制御手段は、映像逆転切替え手段の操作に応じて、前記デュアルビュー表示における映像を入れ替えて表示させるように、前記表示制御手段による表示動作を制御することを特徴とする請求項１〜４のいずれかに記載の表示装置。
【請求項６】
前記表示手段は、
液晶層に印加される電界の強さに応じて透過する光の量を調節し、所望の映像を表示させる液晶表示パネルと、
不透明領域によって隔たれた垂直な透光性スリットを複数有し、前記液晶表示パネルに表示されるそれぞれ異なる映像が空間上の規定された領域からしか見えないようにする光学系分離手段とを備える
ことを特徴とする請求項１〜５のいずれかに記載の表示装置。
【請求項７】
前記表示手段は、
液晶層に印加される電界の強さに応じて透過する光の量を調節し、所望の映像を表示させる液晶表示パネルと、
液晶層を有し、その液晶層に印加される電界の強さに応じて複数の垂直なスリットが形成され、前記液晶表示パネルに表示されるそれぞれ異なる映像が空間上の規定された領域からしか見えないようにするスリット形成手段とを備える
ことを特徴とする請求項１〜５のいずれかに記載の表示装置。
【請求項８】
複数の画像データに基づいた映像のシングルビュー表示又はデュアルビュー表示を行わせる工程と、
表示される前記映像を遠隔操作する遠隔操作手段の位置を検出する工程と、
前記デュアルビュー表示が行われているとき、検出された前記遠隔操作手段の位置に応じて対応する前記映像を認識し、その映像の遠隔操作に従い、表示動作を制御する工程とを有する
ことを特徴とする表示装置における表示制御方法。
【請求項９】
人物検出手段からの検出結果に応じて、前記シングルビュー表示又はデュアルビュー表示を行わせるように制御する工程を有することを特徴とする請求項８に記載の表示装置における表示制御方法。
【請求項１０】
前記遠隔操作手段の位置の検出結果から、前記遠隔操作手段との距離を判別し、その距離に応じて対応する前記映像のサイズを変更させるように制御する工程を有することを特徴とする請求項８又は９に記載の表示装置における表示制御方法。
【請求項１１】
ビュー切替え手段の操作に応じて、前記シングルビュー表示又はデュアルビュー表示を行わせるように制御する工程を有することを特徴とする請求項８又は１０に記載の表示装置における表示制御方法。
【請求項１２】
映像逆転切替え手段の操作に応じて、前記デュアルビュー表示における映像を入れ替えて表示させるように制御する工程を有することを特徴とする請求項８〜１１のいずれかに記載の表示装置における表示制御方法。
【発明の詳細な説明】
【技術分野】
【０００１】
本発明は、デュアルビュー表示とシングルビュー表示の切り替えが可能な液晶表示パネル等を用いて映像を表示する表示装置に係り、特にデュアルビュー表示が行われているとき、リモコン等の遠隔操作手段の位置を認識し、対応する側の映像の遠隔操作を受け付ける表示装置に関するものである。
【背景技術】
【０００２】
液晶表示パネルは、二つの基板の間に注入されている異方性誘電率を有する液晶層を有し、その液晶層に印加する電界の強さを調節することで、基板を透過する光の量を調節し、所望の画像を表示させる表示器である。このような液晶表示パネルは、軽量化、薄型化、低消費電力化等に優れており、携帯電話、カーナビ、ＰＤＡ、パーソナルコンピュータ、テレビ受信機等の身近な機器に限らず、計測機器、医療機器、産業機器全般等の表示器として採用されている。
【０００３】
また、たとえばカーナビやテレビ受信機等のように、動画や静止画等の映像を表示できる機器にあっては、リモコン等の遠隔操作手段が備えられており、その遠隔操作手段のいずれかの操作ボタンを押すことで、メイン電源のオン／オフや映像の画質調整等の遠隔操作を行うことができる。
【０００４】
一方、このような液晶表示パネルは、テレビ受信における映像表示に限らず、ビデオ、ＣＤ、ＤＶＤ等を再生する再生機器であるソース源からの画像データによる映像表示も可能であるが、通常、たとえばあるチャンネルの映像を表示しているときに他のソース源からの映像表示を行う場合、入力ソースを切り替えるようにしている。ちなみに、マルチ表示機能を搭載した機器では、液晶表示パネルの表示エリアを複数に分割し、それぞれの表示エリアにあるチャンネルの映像と他のソース源からの映像とを表示させることは可能である。ただし、この場合には、それぞれの表示エリアに映し出される映像が同時に見えてしまうため、いずれかの表示エリアに映し出される映像を集中して見ることができないばかりか、それぞれの表示エリアが小さくなってしまうため、それぞれの表示エリアに映し出される映像が小さくなってしまうという問題がある。
【０００５】
そこで、本出願人が提案した特許文献１に示されているデュアルビューディスプレイ技術を採用することで、表示エリアのサイズを変更することなく、あるチャンネルの映像と他のソース源からの映像とを同時に表示させることが可能となる。
【０００６】
つまり、このデュアルビューディスプレイ技術の基本原理は、図８に示すように、バックライト１の前に位置する複数の画素ａ，ｂを有する液晶表示パネル２の前面に、パララックスバリヤ（光学系分離素子）４を配置している。パララックスバリヤ４は、不透明領域によって隔たれた垂直な透光性スリット３を複数有するスクリーンであり、液晶表示パネル２の画素ａを透過したバックライト１からの光が複数の透光性スリット３を介して視聴者Ａ側に到達し、画素ｂを透過したバックライト１からの光が複数の透光性スリット３を介して視聴者Ｂ側に到達する。言い換えれば、液晶表示パネル２に表示されるそれぞれ異なる映像の二つのビュー（デュアルビュー）は、パララックスバリヤ４の複数の透光性スリット３により、空間上の規定された領域からしか見えないようにしたものである。
【０００７】
なお、このようなデュアルビューディスプレイ技術は、上述したそれぞれ異なる映像を空間上の規定された領域からしか見えないようにした２次元（２Ｄ）表示に限らず、視聴者Ａ又はＢの両眼にそれぞれ異なる映像が見えるようにすることで、立体像を表示させることができる３次元（３Ｄ）表示にも用いることが可能である。
【特許文献１】特開２００３−１７７３５７号公報
【発明の開示】
【発明が解決しようとする課題】
【０００８】
ところで、特許文献１のデュアルビューディスプレイ技術を用いて表示させた各映像に対し、上述したリモコン等の遠隔操作手段による遠隔操作を行う場合、いずれの映像に対しての遠隔操作であるかを認識させる必要がある。
【０００９】
この場合、リモコン等の遠隔操作手段に、遠隔操作を行うべき映像を選択するための選択ボタンを設けておき、その選択ボタンを押すことにより、遠隔操作を行うべき映像を選択できるようにすることも考えられるが、各映像毎に選択ボタンを押す必要があるため、その選択操作が煩雑になるものと容易に予測される。
【００１０】
解決しようとする問題点は、リモコン等の遠隔操作手段による遠隔操作を各映像に対応させるための選択操作が煩雑である点である。
【課題を解決するための手段】
【００１１】
本発明の表示装置は、複数の画像データに基づいた映像のシングルビュー表示又はデュアルビュー表示が可能な表示手段と、表示手段に対し、シングルビュー表示又はデュアルビュー表示を行わせる表示制御手段と、表示手段によって表示される映像を遠隔操作する遠隔操作手段の位置を検出する検出手段と、表示手段によってデュアルビュー表示が行われているとき、検出手段によって検出された遠隔操作手段の位置に応じて対応する映像を認識し、その映像の遠隔操作に従い、表示制御手段による表示動作を制御する制御手段とを備えることを特徴とする。
また、制御手段は、人物検出手段からの検出結果に応じて、シングルビュー表示又はデュアルビュー表示を行わせるように、表示制御手段による表示動作を制御するようにすることができる。
また、制御手段は、検出手段による検出結果から、遠隔操作手段との距離を判別し、その距離に応じて対応する映像のサイズを変更させるように、表示制御手段による表示動作を制御するようにすることができる。
また、制御手段は、ビュー切替え手段の操作に応じて、シングルビュー表示又はデュアルビュー表示を行わせるように、表示制御手段による表示動作を制御するようにすることができる。
また、制御手段は、映像逆転切替え手段の操作に応じて、デュアルビュー表示における映像を入れ替えて表示させるように、表示制御手段による表示動作を制御するようにすることができる。
また、表示手段は、液晶層に印加される電界の強さに応じて透過する光の量を調節し、所望の映像を表示させる液晶表示パネルと、不透明領域によって隔たれた垂直な透光性スリットを複数有し、液晶表示パネルに表示されるそれぞれ異なる映像が空間上の規定された領域からしか見えないようにする光学系分離手段とを備えるようにすることができる。
また、表示手段は、液晶層に印加される電界の強さに応じて透過する光の量を調節し、所望の映像を表示させる液晶表示パネルと、液晶層を有し、その液晶層に印加される電界の強さに応じて複数の垂直なスリットが形成され、液晶表示パネルに表示されるそれぞれ異なる映像が空間上の規定された領域からしか見えないようにするスリット形成手段とを備えるようにすることができる。
本発明の表示装置における表示制御方法は、複数の画像データに基づいた映像のシングルビュー表示又はデュアルビュー表示を行わせる工程と、表示される映像を遠隔操作する遠隔操作手段の位置を検出する工程と、デュアルビュー表示が行われているとき、検出された遠隔操作手段の位置に応じて対応する映像を認識し、その映像の遠隔操作に従い、表示動作を制御する工程とを有することを特徴とする。
また、人物検出手段からの検出結果に応じて、シングルビュー表示又はデュアルビュー表示を行わせるように制御する工程を有するようにすることができる。
また、遠隔操作手段の位置の検出結果から、遠隔操作手段との距離を判別し、その距離に応じて対応する映像のサイズを変更させるように制御する工程を有するようにすることができる。
また、ビュー切替え手段の操作に応じて、シングルビュー表示又はデュアルビュー表示を行わせるように制御する工程を有するようにすることができる。
また、映像逆転切替え手段の操作に応じて、デュアルビュー表示における映像を入れ替えて表示させるように制御する工程を有するようにすることができる。
本発明に係る表示装置においては、制御手段により、検出手段によって検出された遠隔操作手段の位置に応じて対応する映像を認識し、遠隔操作手段の遠隔操作に従い、表示制御手段による表示動作を制御することができる。
【発明の効果】
【００１２】
本発明の表示装置は、制御手段により、検出手段によって検出された遠隔操作手段の位置に応じて対応する映像を認識し、遠隔操作手段の遠隔操作に従い、表示制御手段による表示動作を制御するようにしたので、遠隔操作手段による遠隔操作を各映像に対応させるための選択操作を自動的に行わせるようにすることができる。
【発明を実施するための最良の形態】
【００１３】
リモコン等の遠隔操作手段の位置を自動で認識し、対応する映像の遠隔操作を受け付けるようにした。
【００１４】
図１は、本発明の表示装置を液晶表示装置に適用した場合の一実施形態に係る概要を説明するための図、図２は、図１の液晶表示装置の表示装置本体の内部構成を示す図、図３〜図６は、図１の液晶表示装置における表示制御方法を説明するための図、図７は、図１の液晶表示装置に重量センサを追加した場合の他の実施形態を説明するための図である。
【００１５】
図１に示す液晶表示装置は、シングルビュー表示とデュアルビュー表示とを切り替えて表示することが可能な表示装置本体１０Ａと、リモコン３０の位置を検出するリモコン位置検出センサ１７とを備え、リモコン位置検出センサ１７によって検出されたリモコン３０の位置に応じて対応する映像の遠隔操作を受け付ける構成となっている。
【００１６】
検出手段としてのリモコン位置検出センサ１７は、たとえば表示装置本体１０Ａの中央頂部に設けられており、位置検出境界線を中心として遠隔操作手段としてのリモコン３０が左右どちらに位置しているかを検出する。リモコン３０の位置を検出するに際しては、既存の画像処理技術を用いてもよいし、リモコン３０に対して要求信号を出し、その要求信号に対する応答信号の到来方向から検出するようにしてもよい。なお、リモコン３０に対して出す要求信号は、赤外線、電波のいずれであってもよい。また、リモコン３０の発信信号は、赤外線、電波のいずれであってもよい。
【００１７】
また、リモコン位置検出センサ１７は、表示装置本体１０Ａの中央頂部に限らず、表示装置本体１０Ａの四辺のいずれにあってもよいし、表示装置本体１０Ａの四隅のフレーム内に内蔵させてもよい。いずれにしてもリモコン位置検出センサ１７は、リモコン３０との間に障害物が無い位置に配置されればよい。
【００１８】
そして、リモコン位置検出センサ１７により、リモコン３０の位置が検出されることで、デュアルビュー表示においてはそれぞれの映像に対しての遠隔操作が受け付けられるが、その詳細は後述する。
【００１９】
次に、図２により、表示装置本体１０Ａの内部構成について説明する
表示装置本体１０Ａは、制御ＣＰＵ１０、液晶コントローラ１１、ゲートドライバ１２、ソースドライバ１３、表示器１６、ビュー切替えスイッチ１８、映像逆転切替えスイッチ１９を備えている。
【００２０】
制御手段としての制御ＣＰＵ１０は、ビュー切替えスイッチ１８の操作に応じて、第１画像データ及び第２画像データに基づいたデュアルビュー表示又は第１画像データ及び第２画像データのいずれか一方に基づいたシングルビュー表示を行わせるように、液晶コントローラ１１を制御する機能を有している。また、制御ＣＰＵ１０は、映像逆転切替えスイッチ１９の操作に応じて、第１画像データ及び第２画像データに基づいた映像が逆転するように、液晶コントローラ１１を制御する機能を有している。
【００２１】
ここで、第１画像データ及び第２画像データは、テレビ受信における画像データであってもよいし、ビデオ、ＣＤ、ＤＶＤ等を再生する再生機器であるソース源からの画像データのいずれであってもよい。また、デュアルビュー表示とは、第１画像データ及び第２画像データに基づいたそれぞれの映像を後述の液晶表示パネル１４に表示させ、図８で説明したように、それぞれ異なる映像を視聴者Ａ又はＢが視聴できるようにすることであり、シングルビュー表示とは第１画像データ及び第２画像データのいずれか一方に基づいた映像を後述の液晶表示パネル１４に表示させ、その映像を視聴者Ａ又はＢが視聴できるようにすることである。また、第１画像データ及び第２画像データに基づいた映像が逆転するとは、視聴者Ａが視聴している映像と視聴者Ｂが視聴している映像とを入れ替えて表示させることである。
【００２２】
また、制御ＣＰＵ１０は、リモコン位置検出センサ１７によって検出されたリモコン３０の位置に応じて、それぞれのリモコン３０からの遠隔操作を各映像に対応させて受け付け、後述の操作画面１４ａ，１４ｂを、後述の液晶表示パネル１４に表示させるように液晶コントローラ１１を制御する機能を有している。
【００２３】
なお、映像逆転切替えスイッチ１９により、視聴者Ａが視聴している映像と視聴者Ｂが視聴している映像とが入れ替えて表示される場合、制御ＣＰＵ１０は、リモコン位置検出センサ１７によって検出されたリモコン３０の位置に応じて、リモコン３０からの遠隔操作を入れ替えて表示された各映像に対応させて受け付け、後述の操作画面１４ａ，１４ｂを、後述の液晶表示パネル１４に表示させるように液晶コントローラ１１を制御する。
【００２４】
また、それぞれの映像に対応する後述の操作画面１４ａ，１４ｂのデータは、図示しないＲＯＭ等の記憶媒体に格納しておき、制御ＣＰＵ１０がそのデータを読み取って液晶コントローラ１１に与えるようにしてもよいし、液晶コントローラ１１が制御ＣＰＵ１０からの制御により直接、そのデータを読み取るようにしてもよい。また、制御ＣＰＵ１０によるリモコン３０からの遠隔操作を受け付けて行う液晶コントローラ１１に対する各種制御等は、図示しないＲＯＭ等の記憶媒体に格納された制御プログラムに基づいて行われるようにすることができる。
【００２５】
表示制御手段としての液晶コントローラ１１は、上述した制御ＣＰＵ１０の制御により、液晶表示パネル１４の表示動作をコントロールする。表示動作をコントロールするに際しては、第１画像データ及び／又は第２画像データ等に基づき、ゲートドライバ１２及びソースドライバ１３を駆動させる。ゲートドライバ１２は、後述の液晶表示パネル１４の図示しない複数の画素を駆動させるための走査電圧を印加する。ソースドライバ１３は、後述の液晶表示パネル１４の図示しない複数の画素を駆動させるための書込み電圧を印加する。
【００２６】
表示手段としての表示器１６は、液晶表示パネル１４及びパララックスバリヤ（光学系分離素子）１５を備えている。液晶表示パネル１４は、図示しない二つの基板の間に注入されている異方性誘電率を有する液晶層を有し、その液晶層に印加される電界の強さに応じて基板を透過する図示しないバックライトからの光の量を調節し、所望の映像を表示させる。光学系分離手段としてのパララックスバリヤ１５は、液晶表示パネル１４の前面に重ね合わされるものであり、不透明領域によって隔たれた垂直な透光性スリット１５ａを複数有するスクリーンである。
【００２７】
ここで、上述したデュアルビュー表示を行わせる場合には、たとえば液晶表示パネル１４の隣り合う画素を第１画像データ又は第２画像データに応じて駆動させればよい。言い換えれば、隣り合う画素は、互いに異なる画像データに応じて駆動されることになる。なお、画素は１個おきに互いに異なる画像データに応じて駆動されるようにしてもよいし、２個おき、あるいは３個おき等のように複数個おきに駆動されるようにしてもよいことは勿論であるが、いずれにしてもパララックスバリヤ１５の透光性スリット１５ａの幅に応じて設定すればよい。
【００２８】
これにより、図８で説明したように、パララックスバリヤ１５の複数の透光性スリット１５ａを通して見える光が空間上の規定された領域からしか見えないことになるため、たとえば視聴者Ａは第１画像データに応じた映像のみを視聴することができ、視聴者Ｂは第２画像データに応じた映像のみを視聴することができる。なお、それぞれの映像に応じた音声は、図示しないスピーカから出力され、それぞれの視聴者Ａ，Ｂに混在して伝達されるが、たとえばそのスピーカを超指向性を有するものとすることで、それぞれの視聴者Ａ，Ｂにそれぞれの映像に応じた音声のみを伝達させることは可能である。
【００２９】
ビュー切替え手段としてのビュー切替えスイッチ１８は、第１画像データ及び第２画像データに基づいたデュアルビュー表示又は第１画像データ及び第２画像データのいずれか一方に基づいたシングルビュー表示のいずれかを行わせる際に操作される。デュアルビュー表示又はシングルビュー表示の切り替えは、ビュー切替えスイッチ１８を押す毎に切り替わるようにすることができる。この場合、ビュー切替えスイッチ１８を押す毎に切り替わるような制御プログラムを図示しないＲＯＭ等の記憶媒体に格納しておき、制御ＣＰＵ１０によってその制御プログラムを読み込ませるようにすればよい。
【００３０】
映像逆転切替え手段としての映像逆転切替えスイッチ１９は、上述したように、視聴者Ａが視聴している映像と視聴者Ｂが視聴している映像とを入れ替えて表示させる際に操作される。映像逆転切替え表示は、映像逆転切替えスイッチ１９を押す毎に切り替わるようにすることができる。この場合、映像逆転切替えスイッチ１９を押す毎に切り替わるような制御プログラムを図示しないＲＯＭ等の記憶媒体に格納しておき、制御ＣＰＵ１０によってその制御プログラムを読み込ませるようにすればよい。
【００３１】
なお、制御ＣＰＵ１０によって読み込まれる制御プログラムを変更することで、ビュー切替えスイッチ１８により、デュアルビュー表示、シングルビュー表示、映像逆転切替え表示の３つのモードを選択させるようにすることも可能である。つまり、たとえばビュー切替えスイッチ１８の操作に応じてデュアルビュー表示とシングルビュー表示との切り替えが行われるようにし、デュアルビュー表示のときにビュー切替えスイッチ１８がたとえば数秒以上押された場合、映像の逆転表示が行われるようにすることができる。この場合、映像逆転切替えスイッチ１９を省くことができる。
【００３２】
次に、上述した構成の液晶表示装置における表示制御方法について説明する。
なお、以下の説明においては、上述した表示器１６が運転席と助手席から見える位置に設置され、さらにソース源がたとえばＤＶＤプレーヤとカーナビであって、第１画像データがＤＶＤプレーヤによって再生されるＤＶＤの再生映像のデータであり、第２画像データが地図再生映像のデータであるとする。また、視聴者Ａは助手席側に座り、視聴者Ｂは運転席側に座っているものとする。
【００３３】
そしてまず、図３に示すように、ビュー切替えスイッチ１８の操作の有無が判断される。ここで、初期モードがシングルビュー表示であるとすると、ビュー切替えスイッチ１８が押されることにより、制御ＣＰＵ１０によってデュアルビュー表示への切り替え指示有りと判断される（ステップＳ１）。
【００３４】
このとき、制御ＣＰＵ１０により、第１画像データ及び第２画像データに基づいたそれぞれの映像を液晶表示パネル１４に表示させるように液晶コントローラ１１が制御される（ステップＳ２）。これにより、液晶コントローラ１１によってゲートドライバ１２及びソースドライバ１３の駆動がコントロールされ、上述したように、たとえば隣り合う画素が第１画像データ又は第２画像データに応じて駆動される。そして、それぞれの画素からの光がパララックスバリヤ１５の透光性スリット１５ａを通して視聴者Ａと視聴者Ｂに届くため、視聴者Ａ及び視聴者Ｂがそれぞれ異なる映像を視聴することができるデュアルビュー表示が行われる（ステップＳ３）。ここで、視聴者Ａは第１画像データに基づいた映像を視聴し、視聴者Ｂは第２画像データに基づいた映像を視聴しているものとする。
【００３５】
次いで、デュアルビュー表示が行われているとき、リモコン位置検出センサ１７により、図１で説明した位置検出境界線を中心としてリモコン３０が左右どちらに位置しているかの検出が行われる（ステップＳ４）。この場合、既存の画像処理技術を用いてもよいし、リモコン３０に対して要求信号を出し、その要求信号に対する応答信号の到来方向から検出するようにしてもよい。また、その要求信号は、リモコン３０からの発信信号に合わせればよく、赤外線、電波のいずれであってもよい。
【００３６】
リモコン位置検出センサ１７による検出の結果、リモコン位置検出センサ１７側から見てリモコン３０が右に位置している場合、制御ＣＰＵ１０により、第１画像データに基づいた映像にリモコン３０による遠隔操作が対応すると認識される（ステップＳ５）。
【００３７】
そして、リモコン３０からの遠隔操作があると、制御ＣＰＵ１０の制御により、液晶コントローラ１１が図５（ａ）に示す液晶表示パネル１４に、たとえば図５（ｂ）に示すような操作画面１４ａを表示させる（ステップＳ６）。図５（ｂ）に示す操作画面１４ａは、第１画像データを再生する図示しないソース源であるＤＶＤプレーヤに対応した動作選択内容を示すものであり、動作選択内容としてたとえば「再生」、「早送り」、「巻戻し」、「停止」のそれぞれの動作選択ボタンが表示される。ここで、リモコン３０により、「再生」、「早送り」、「巻戻し」、「停止」のそれぞれの動作選択ボタンのいずれかに対応する遠隔操作が行われると（ステップＳ７）、制御ＣＰＵ１０により「再生」、「早送り」、「巻戻し」、「停止」の動作選択ボタンのいずれかが操作されたことを示す制御信号が図示しないＤＶＤプレーヤ側に送信される（ステップＳ８）。これにより、ＤＶＤプレーヤ側にて「再生」、「早送り」、「巻戻し」、「停止」の動作選択ボタンのいずれかに対応した動作が行われる。
【００３８】
なお、図５（ｂ）に示すような操作画面１４ａは、所定時間経過後、消去されるようにしてもよいし、操作画面１４ａに「戻る」の動作選択ボタンを設けておいて、その「戻る」の動作選択ボタンが操作されたときに消去されるようにしてもよい。
【００３９】
一方、（ステップＳ４）でのリモコン位置検出センサ１７による検出の結果、リモコン位置検出センサ１７側から見てリモコン３０が左に位置している場合、制御ＣＰＵ１０により、第２画像データに基づいた映像にリモコン３０による遠隔操作が対応すると認識される（ステップＳ９）。
【００４０】
そして、リモコン３０からの遠隔操作があると、制御ＣＰＵ１０による制御により、液晶コントローラ１１が図６（ａ）に示す液晶表示パネル１４に、たとえば図６（ｂ）に示すような操作画面１４ｂを表示させる（ステップＳ１０）。図６（ｂ）に示す操作画面１４ｂは、第２画像データを再生する図示しないソース源であるカーナビの動作選択内容を示すものであり、動作選択内容としてたとえば「行き先」、「登録」、「ジャンル」、「設定」、「戻る」のそれぞれの動作選択ボタンが表示される。ここで、「行き先」、「登録」、「ジャンル」、「設定」、「戻る」のそれぞれの動作選択ボタンのいずれかに対応する遠隔操作が行われると（ステップＳ１１）、制御ＣＰＵ１０により「行き先」、「登録」、「ジャンル」、「設定」、「戻る」の動作選択ボタンのいずれかが操作されたことを示す制御信号が図示しないカーナビ側に送信される（ステップＳ１２）。これにより、カーナビ側にて「行き先」、「登録」、「ジャンル」、「設定」、「戻る」の動作選択ボタンのいずれかに対応した動作が行われる。ここで、図６（ｂ）に示すような操作画面１４ｂは、「戻る」の動作選択ボタンが操作されたときに消去されるようにしてもよい、所定時間経過後、消去されるようにしてもよい。
【００４１】
さらに、このようなデュアルビュー表示において、図４に示すように、映像逆転切替えスイッチ１９が操作されると（ステップＳ１３）、制御ＣＰＵ１０による制御により、液晶コントローラ１１が第１画像データ及び第２画像データに基づいたそれぞれの映像を液晶表示パネル１４に逆転表示させる（ステップＳ１４）。このとき、上記同様に、リモコン位置検出センサ１７による検出の結果、リモコン位置検出センサ１７側から見てリモコン３０が右に位置している場合、第２画像データに基づいた映像にリモコン３０による遠隔操作が対応すると認識され、リモコン位置検出センサ１７側から見てリモコン３０が左に位置している場合、第１画像データに基づいた映像にリモコン３０による遠隔操作が対応すると認識される。
【００４２】
このように、本実施形態では、制御ＣＰＵ１０により、リモコン位置検出センサ１７によって検出されたリモコン３０の位置に応じて対応する映像を認識し、リモコン３０からの対応する映像の遠隔操作に従い、液晶コントローラ１１による表示動作を制御するようにしたので、リモコン３０による遠隔操作を各映像に対応させるための選択操作を自動的に行わせるようにすることができる。その結果、従来のように、リモコン３０による遠隔操作を各映像に対応させるための選択操作が不要となることから、操作性が向上する。
【００４３】
なお、本実施形態では、表示装置本体１０Ａ側に設けたビュー切替えスイッチ１８及び映像逆転切替えスイッチ１９により、ビュー切替えと映像逆転切替えとを行わせる場合について説明したが、これらの切り替えはリモコン３０による遠隔操作によって行われるようにしてもよいことは勿論である。
【００４４】
また、本実施形態では、デュアルビュー表示が行われているときに、リモコン位置検出センサ１７により、リモコン３０の位置が検出される場合について説明したが、この例に限らず、液晶表示装置のメイン電源がオンされたとき直ちにリモコン３０の位置が検出されるようにしてもよいことは勿論である。
【００４５】
また、本実施形態では、リモコン位置検出センサ１７によるリモコン３０の位置の検出タイミングについて、特に明記していないが、数秒間隔であってもよいし、数十秒間隔等であってもよい。また、その検出タイミングは、リモコン３０による遠隔操作によって自由に設定できるようにしてもよい。
【００４６】
また、本実施形態では、ビュー切替えスイッチ１８の操作により、第１画像データ及び第２画像データに基づいたデュアルビュー表示又は第１画像データ及び第２画像データのいずれか一方に基づいたシングルビュー表示のいずれかを行わせる場合について説明したが、この例に限らず、たとえば図７に示すように、人物検出手段としての重量センサ２０によって視聴者Ａ又はＢの存在を確認し、デュアルビュー表示又はシングルビュー表示の切り替えを制御ＣＰＵ１０の制御により自動的に行わせることも可能である。
【００４７】
つまり、視聴者Ｂがたとえば運転席側に座り、視聴者Ａが助手席側に座るとしたとき、助手席側に上記の重量センサ２０を設けておき、重量センサ２０により視聴者Ａの着座が確認された場合に制御ＣＰＵ１０の制御によりシングルビュー表示からデュアルビュー表示に自動的に切り替えるようにする。同様にして、デュアルビュー表示が行われているとき、重量センサ２０により視聴者Ａの着座が確認されなかった場合には、デュアルビュー表示からシングルビュー表示に自動的に切り替えるようにすることもできる。この場合、ビュー切替えスイッチ１８を省いても、デュアルビュー表示とシングルビュー表示の切り替えを自動的に行うことができるため、操作性をさらに向上させることができる。なお、重量センサ２０による検出結果は、表示装置本体１０Ａに接続される所定のケーブルを介して得られるようにしてもよく、さらには無線を介して得られるようにしてもよい。また、人物検出手段としては、重量センサ２０に限らず、温度センサやシートベルトの接続検知センサ等を用いてもよい。いずれにしても、人物と荷物との区別がつけられるセンサを用いればよい。
【００４８】
また、本実施形態では、リモコン位置検出センサ１７によりリモコン３０の位置のみを検出する場合について説明したが、この例に限らず、制御ＣＰＵ１０により、リモコン位置検出センサ１７による検出結果からリモコン３０との距離を判別し、その距離に応じて対応する映像のサイズを制御ＣＰＵ１０による制御により自動的に変更させることも可能である。
【００４９】
この場合、リモコン位置検出センサ１７からリモコン３０に赤外線又は電波のいずれかを用いて要求信号を出してから、それに対するリモコン３０からの応答信号を受信したときの時間を計測することで、リモコン３０との距離が分かるため、遠い位置にあるリモコン３０に対応する映像は大きく表示させ、近い位置にあるリモコン３０に対応する映像は小さく表示させるようにする。また、既存の画像処理技術を用いてリモコン３０との距離を判別させるようにしてもよい。いずれにしても、リモコン３０との距離に応じて対応する映像のサイズを自動的に変更させることで、リモコン３０によっての映像のサイズの変更の遠隔操作が不要となり、操作性が向上する。
【００５０】
また、リモコン位置検出センサ１７からリモコン３０に赤外線又は電波のいずれかを用いて要求信号を出してから、それに対するリモコン３０からの応答信号がなければ液晶表示パネル１４にエラー表示を行わせるようにしてもよい。この場合、リモコン３０の電池切れ等の確認ができる。
【００５１】
また、本実施形態では、デュアルビュー表示を行わせるために、複数の透光性スリット１５ａを有するパララックスバリヤ１５を用いた場合について説明したが、この例に限らず、液晶表示パネル１４のような液晶層を有し、その液晶層に印加される電界の強さに応じて複数の垂直なスリットが形成されるスリット形成手段を用いてもよい。この場合、デュアルビュー表示の場合には、複数の垂直なスリットを出現させ、シングルビュー表示の場合には複数の垂直なスリットを消すようにすればよい。
【産業上の利用可能性】
【００５２】
平面パネル型の液晶表示装置に限らず、ブラウン管型の表示装置に適用可能である。また、平面パネル型としては、液晶表示パネル１４に限らず、プラズマ・ディスプレイ（Plasma Display Panel） や、有機ＥＬ（Erectronic Luminescence）ディスプレイにも適用可能である。また、カーナビ以外であって、デュアルビュー表示が可能な表示器１６を搭載している機器であればよく、携帯電話、ＰＤＡ、パーソナルコンピュータ、テレビ受信機等の身近な機器に限らず、計測機器、医療機器、産業機器全般等にも適用可能である。また、２次元（２Ｄ）表示に限らず、視聴者Ａ又はＢの両眼にそれぞれ異なる映像が見えるようにすることで、立体像を表示させることができる３次元（３Ｄ）表示にも適用可能である。また、パーソナルコンピュータ等で用いられるマウスやキーボードの位置を認識して対応する映像がマウスやキーボードで操作される場合にも適用可能である。
【図面の簡単な説明】
【００５３】
【図１】本発明の表示装置を液晶表示装置に適用した場合の一実施形態に係る概要を説明するための図である。
【図２】図１の液晶表示装置の表示装置本体の内部構成を示す図である。
【図３】図１の液晶表示装置における表示制御方法を説明するためのフローチャートである。
【図４】図１の液晶表示装置における表示制御方法を説明するためのフローチャートである。
【図５】図１の液晶表示装置における表示制御方法を説明するための図である。
【図６】図１の液晶表示装置における表示制御方法を説明するための図である。
【図７】図１の液晶表示装置に重量センサを追加した場合の他の実施形態を説明するための図である。
【図８】従来のデュアルビュー表示の原理を説明するための図である。
【符号の説明】
【００５４】
１０  制御ＣＰＵ
１０Ａ  表示装置本体
１１  液晶コントローラ
１４  液晶表示パネル
１５  パララックスバリヤ
１５ａ  透光性スリット
１６  表示器
１７  リモコン位置検出センサ
１８  ビュー切替えスイッチ
１９  映像逆転切替えスイッチ
２０  重量センサ
３０  リモコン
【図１】
2005073076.tif 000003
【図２】
2005073076.tif 000004
【図３】
2005073076.tif 000005
【図４】
2005073076.tif 000006
【図５】
2005073076.tif 000007
【図６】
2005073076.tif 000008
【図７】
2005073076.tif 000009
【図８】
2005073076.tif 000010